(57)【要約】【課題】液冷式冷却装置を製造する際の全フィンプレートの取扱性が向上した液冷式冷却装置用放熱器およびその製造方法を提供する。【解決手段】液冷式冷却装置用放熱器6は、幅方向を上下方向に向けた状態で板厚方向に間隔をおいて配置された複数の縦長方形状フィンプレート14と、フィンプレートの長手方向と交差する方向にのび、かつ全フィンプレートを連結一体化する棒状連結部材15A,15Bとからなる。フィンプレート14の上側縁部に少なくとも１つの切り欠き16を形成し、フィンプレート14の下側縁部に少なくとも１つの切り欠き17を、前記一方の側縁部の切り欠き16とはフィンプレート14の長手方向にずれた位置に形成する。連結部材15A,15Bを、全フィンプレート14の両側縁部の切り欠き16,17内に、それぞれ切り欠き16,17内から突出しないように圧入し、全フィンプレート14を連結部材15A,15Bにより連結一体化する。【選択図】図２
2015126050.tif 000002
【特許請求の範囲】
【請求項１】
頂壁、底壁および周壁を有するケーシングを備えており、ケーシング内に、ケーシング内に流入した冷却液が流れる冷却液流路が設けられ、ケーシングの頂壁外面および底壁外面のうち少なくともいずれか一方に取り付けられる発熱体を、冷却液流路を流れる冷却液により冷却する液冷式冷却装置において、ケーシング内の冷却液流路に配置されて発熱体から発せられる熱を冷却液に放熱する放熱器であって、
互いに間隔をおいて並列状に配置された複数の縦長方形状フィンプレートと、フィンプレートの長手方向と交差する方向にのび、かつ全フィンプレートを連結一体化する棒状連結部材とからなり、全フィンプレートが、長手方向を冷却液の流れ方向に向けるとともに幅方向を上下方向に向けた状態で板厚方向に間隔をおいて配置され、フィンプレートの幅方向両側縁部のうち一方の側縁部に少なくとも１つの切り欠きが形成され、フィンプレートの幅方向両側縁部のうち他方の側縁部に少なくとも１つの切り欠きが、前記一方の側縁部の切り欠きとはフィンプレートの長手方向にずれた位置に形成され、連結部材が、全フィンプレートの両側縁部の切り欠き内に、それぞれ切り欠き内から突出しないように圧入されており、全フィンプレートが連結部材により連結一体化されている液冷式冷却装置用放熱器。
【請求項２】
各フィンプレートの幅方向と直交する平面で切断した形状が波形であって、波頂部および波底部が交互に形成されており、冷却液が、隣り合う２つのフィンプレート間を蛇行状に流れるようになされている請求項１記載の液冷式冷却装置用放熱器。
【請求項３】
フィンプレートの幅方向両側縁部における長手方向両端寄りの部分にそれぞれ切り欠きが形成されており、全フィンプレートの幅方向の一側縁部における長手方向の一端寄りに形成された切り欠き内、および全フィンプレートの幅方向の他側縁部における長手方向の他端寄りに形成された切り欠き内に、それぞれ連結部材が圧入されている請求項１または２記載の液冷式冷却装置用放熱器。
【請求項４】
隣り合うフィンプレート間の間隔が同一であり、フィンプレートの長手方向一端寄りの部分に、全プレートフィンのうちの一部でかつフィンプレートの並び方向の片側に位置する複数のプレートフィンのみにまたがるように棒状の抵抗付与部材が配置されており、抵抗付与部材が、フィンプレートの幅方向の両側縁部における当該一端寄りの部分に配置された連結部材とは反対の側縁部に形成された切り欠き内に圧入されている請求項３記載の液冷式冷却装置用放熱器。
【請求項５】
隣り合うフィンプレート間の間隔が、フィンプレートの並び方向の一端側が狭く、同他端側が広くなっている請求項１〜３のうちのいずれかに記載の液冷式冷却装置用放熱器。
【請求項６】
隣り合うフィンプレート間の間隔が、フィンプレートの並び方向の一端側から他端側に向かって徐々に広くなっている請求項５記載の液冷式冷却装置用放熱器。
【請求項７】
頂壁、底壁および周壁を有するケーシングを備えており、ケーシング内に、冷却液が流れる冷却液流路と、冷却液流路よりも上流側に位置しかつ冷却液が流入する入口ヘッダ部と、冷却液流路よりも下流側に位置しかつ冷却液が流出する出口ヘッダ部とが設けられており、ケーシング内の冷却液流路に、ケーシングの頂壁外面および底壁外面のうち少なくともいずれか一方に取り付けられる発熱体から発せられる熱を、冷却液流路を流れる冷却液に放熱する放熱器が配置されている液冷式冷却装置において、
請求項１〜６のうちのいずれかに記載された液冷式冷却装置用放熱器が、フィンプレートの長手方向が入口ヘッダ部と出口ヘッダ部とを結ぶ方向を向くとともに、幅方向が上下方向に向くように配置されており、全てのフィンプレートの上側縁部がケーシングの頂壁に接合されるとともに、下側縁部がケーシングの底壁に接合されている液冷式冷却装置。
【請求項８】
入口ヘッダ部および出口ヘッダ部が、冷却液流路における冷却液の流れ方向と直角をなす方向に長くなっており、入口ヘッダ部の一端部側に冷却液入口が設けられるとともに、出口ヘッダ部における冷却液入口と同一端部側に冷却液出口が設けられ、請求項４記載の液冷式冷却装置用放熱器が、抵抗付与部材が配置された側が冷却液入口および冷却液出口側に来るように配置されている請求項７記載の液冷式冷却装置。
【請求項９】
入口ヘッダ部および出口ヘッダ部が、冷却液流路における冷却液の流れ方向と直角をなす方向に長くなっており、入口ヘッダ部の一端部側に冷却液入口が設けられるとともに、出口ヘッダ部における冷却液入口と同一端部側に冷却液出口が設けられ、請求項５または６記載の液冷式冷却装置用放熱器が、隣り合うフィンプレート間の間隔の狭い側が冷却液入口および冷却液出口側に来るように配置されている請求項７記載の液冷式冷却装置。
【請求項１０】
請求項３記載の液冷式冷却装置用放熱器を製造する方法であって、
金属素板にプレス加工を施すことによって、幅方向の一側縁部における長手方向一端寄りの部分、および幅方向の他側縁部における長手方向他端寄りの部分にそれぞれ切り欠きが形成された複数の縦長方形状フィンプレートを、長手方向を金属素板の幅方向に向けるとともに幅方向を金属素板の長手方向に向け、かつ長手方向両端部が連結部を介してブリッジ部に繋がるように半打ち抜き状態に打ち抜く第１工程と、
ブリッジ部における隣り合うフィンプレート間の部分を、略Ｓ字状にに曲げることにより、全フィンプレートの幅方向を上下方向に向ける第２工程と、
全フィンプレートの幅方向の一側縁部における長手方向一端寄りに形成された切り欠き内、および全フィンプレートの幅方向の他側縁部における長手方向の他端寄りに形成された切り欠き内に、それぞれ連結部材を圧入する第３工程と、
フィンプレートをブリッジ部に連結する全連結部を切断して全フィンプレートをブリッジ部から分離する第４工程とを含む液冷式冷却装置用放熱器の製造方法。
【請求項１１】
前記第１工程において、各フィンプレートの一端寄りの部分の切り欠きと、他端寄りの部分の切り欠きとの間において、各フィンプレートの幅方向と直交する平面で切断した形状を波形に成形する請求項１０記載の液冷式冷却装置用放熱器の製造方法。
【請求項１２】
前記第１工程において、フィンプレートの幅方向の両側縁部の長手方向両端寄りの部分に、それぞれ切り欠きを形成する請求項１０または１１記載の液冷式冷却装置用放熱器の製造方法。
【発明の詳細な説明】
【技術分野】
【０００１】
この発明は、たとえば半導体素子などの電子部品からなる発熱体を冷却する液冷式冷却装置に用いられる放熱器およびその製造方法に関する。
【０００２】
この明細書および特許請求の範囲において、図２の上下を上下というもとのとする。
【背景技術】
【０００３】
たとえば、電気自動車、ハイブリッド自動車、電車などに搭載される電力変換装置に用いられるＩＧＢＴ（Insulated Gate Bipolar Transistor）などのパワーデバイス（半導体素子）を冷却する液冷式冷却装置として、特許文献１記載のものが提案されている。
【０００４】
特許文献１記載の液冷式冷却装置は、頂壁、底壁および周壁を有するケーシングを備えており、ケーシング内に、冷却液が流れる冷却液流路と、冷却液流路よりも上流側に位置しかつ冷却液が流入する入口ヘッダ部と、冷却液流路よりも下流側に位置しかつ冷却液が流出する出口ヘッダ部とが設けられており、ケーシング内の冷却液流路に、ケーシングの頂壁外面および底壁外面のうち少なくともいずれか一方に取り付けられる発熱体から発せられる熱を、冷却液流路を流れる冷却液に放熱する放熱器が配置され、放熱器が、互いに間隔をおいて並列状に配置されるとともに上下両側縁部がケーシングの頂壁および底壁にろう付された複数の縦長方形状フィンプレートからなり、端部のフィンプレートを除いたフィンプレートの両面には、複数の凸部が点在するように設けられ、隣り合うフィンプレートの凸部どうしが接触した状態でろう付されている。
【０００５】
特許文献１記載の液冷式冷却装置は、複数のフィンプレートを、隣り合うフィンプレートの凸部どうしが接触するように積層し、これをケーシングを構成する上下１対のプレート間に配置し、両本体プレートのフランジ部どうし、両本体プレートとフィンプレートの上下両側縁部、および隣り合うフィンプレートの凸部どうしを一括してろう付することを含む方法で製造される。
【０００６】
しかしながら、特許文献１記載の液冷式冷却装置の放熱器は、両本体プレートとフィンプレートとのろう付、および隣り合うフィンプレートの凸部どうしのろう付前の状態においては、全フィンプレートがばらばらの状態であるから、全フィンプレートの位置がずれることがあり、液冷式冷却装置を製造する際に、全フィンプレートの取扱が面倒になって、液冷式冷却装置の製造作業が困難になる。
【先行技術文献】
【特許文献】
【０００７】
【特許文献１】特開２０１２−３７１３６号公報
【発明の概要】
【発明が解決しようとする課題】
【０００８】
この発明の目的は、上記問題を解決し、液冷式冷却装置を製造する際の全フィンプレートの取扱性が向上した液冷式冷却装置用放熱器およびその製造方法を提供することにある。
【課題を解決するための手段】
【０００９】
本発明は、上記目的を達成するために以下の態様からなる。
【００１０】
1)頂壁、底壁および周壁を有するケーシングを備えており、ケーシング内に、ケーシング内に流入した冷却液が流れる冷却液流路が設けられ、ケーシングの頂壁外面および底壁外面のうち少なくともいずれか一方に取り付けられる発熱体を、冷却液流路を流れる冷却液により冷却する液冷式冷却装置において、ケーシング内の冷却液流路に配置されて発熱体から発せられる熱を冷却液に放熱する放熱器であって、
互いに間隔をおいて並列状に配置された複数の縦長方形状フィンプレートと、フィンプレートの長手方向と交差する方向にのび、かつ全フィンプレートを連結一体化する棒状連結部材とからなり、全フィンプレートが、長手方向を冷却液の流れ方向に向けるとともに幅方向を上下方向に向けた状態で板厚方向に間隔をおいて配置され、フィンプレートの幅方向両側縁部のうち一方の側縁部に少なくとも１つの切り欠きが形成され、フィンプレートの幅方向両側縁部のうち他方の側縁部に少なくとも１つの切り欠きが、前記一方の側縁部の切り欠きとはフィンプレートの長手方向にずれた位置に形成され、連結部材が、全フィンプレートの両側縁部の切り欠き内に、それぞれ切り欠き内から突出しないように圧入されており、全フィンプレートが連結部材により連結一体化されている液冷式冷却装置用放熱器。
【００１１】
2)各フィンプレートの幅方向と直交する平面で切断した形状が波形であって、波頂部および波底部が交互に形成されており、冷却液が、隣り合う２つのフィンプレート間を蛇行状に流れるようになされている上記1)記載の液冷式冷却装置用放熱器。
【００１２】
3)フィンプレートの幅方向両側縁部における長手方向両端寄りの部分にそれぞれ切り欠きが形成されており、全フィンプレートの幅方向の一側縁部における長手方向の一端寄りに形成された切り欠き内、および全フィンプレートの幅方向の他側縁部における長手方向の他端寄りに形成された切り欠き内に、それぞれ連結部材が圧入されている上記1)または2)記載の液冷式冷却装置用放熱器。
【００１３】
4)隣り合うフィンプレート間の間隔が同一であり、フィンプレートの長手方向一端寄りの部分に、全プレートフィンのうちの一部でかつフィンプレートの並び方向の片側に位置する複数のプレートフィンのみにまたがるように棒状の抵抗付与部材が配置されており、抵抗付与部材が、フィンプレートの幅方向の両側縁部における当該一端寄りの部分に配置された連結部材とは反対の側縁部に形成された切り欠き内に圧入されている上記3)記載の液冷式冷却装置用放熱器。
【００１４】
5)隣り合うフィンプレート間の間隔が、フィンプレートの並び方向の一端側が狭く、同他端側が広くなっている上記1)〜3)のうちのいずれかに記載の液冷式冷却装置用放熱器。
【００１５】
6)隣り合うフィンプレート間の間隔が、フィンプレートの並び方向の一端側から他端側に向かって徐々に広くなっている上記5)記載の液冷式冷却装置用放熱器。
【００１６】
7)頂壁、底壁および周壁を有するケーシングを備えており、ケーシング内に、冷却液が流れる冷却液流路と、冷却液流路よりも上流側に位置しかつ冷却液が流入する入口ヘッダ部と、冷却液流路よりも下流側に位置しかつ冷却液が流出する出口ヘッダ部とが設けられており、ケーシング内の冷却液流路に、ケーシングの頂壁外面および底壁外面のうち少なくともいずれか一方に取り付けられる発熱体から発せられる熱を、冷却液流路を流れる冷却液に放熱する放熱器が配置されている液冷式冷却装置において、
上記1)〜6)のうちのいずれかに記載された液冷式冷却装置用放熱器が、フィンプレートの長手方向が入口ヘッダ部と出口ヘッダ部とを結ぶ方向を向くとともに、幅方向が上下方向に向くように配置されており、全てのフィンプレートの上側縁部がケーシングの頂壁に接合されるとともに、下側縁部がケーシングの底壁に接合されている液冷式冷却装置。
【００１７】
8)入口ヘッダ部および出口ヘッダ部が、冷却液流路における冷却液の流れ方向と直角をなす方向に長くなっており、入口ヘッダ部の一端部側に冷却液入口が設けられるとともに、出口ヘッダ部における冷却液入口と同一端部側に冷却液出口が設けられ、請求項４記載の液冷式冷却装置用放熱器が、抵抗付与部材が配置された側が冷却液入口および冷却液出口側に来るように配置されている上記7)記載の液冷式冷却装置。
【００１８】
9)入口ヘッダ部および出口ヘッダ部が、冷却液流路における冷却液の流れ方向と直角をなす方向に長くなっており、入口ヘッダ部の一端部側に冷却液入口が設けられるとともに、出口ヘッダ部における冷却液入口と同一端部側に冷却液出口が設けられ、請求項５または６記載の液冷式冷却装置用放熱器が、隣り合うフィンプレート間の間隔の狭い側が冷却液入口および冷却液出口側に来るように配置されている上記7)記載の液冷式冷却装置。
【００１９】
10)上記1)記載の液冷式冷却装置用放熱器を製造する方法であって、
金属素板にプレス加工を施すことによって、幅方向の一側縁部における長手方向一端寄りの部分、および幅方向の他側縁部における長手方向他端寄りの部分にそれぞれ切り欠きが形成された複数の縦長方形状フィンプレートを、長手方向を金属素板の幅方向に向けるとともに幅方向を金属素板の長手方向に向け、かつ長手方向両端部が連結部を介してブリッジ部に繋がるように半打ち抜き状態に打ち抜く第１工程と、
ブリッジ部における隣り合うフィンプレート間の部分を、略Ｓ字状にに曲げることにより、全フィンプレートの幅方向を上下方向に向ける第２工程と、
全フィンプレートの幅方向の一側縁部における長手方向一端寄りに形成された切り欠き内、および全フィンプレートの幅方向の他側縁部における長手方向の他端寄りに形成された切り欠き内に、それぞれ連結部材を圧入する第３工程と、
フィンプレートをブリッジ部に連結する全連結部を切断して全フィンプレートをブリッジ部から分離する第４工程とを含む液冷式冷却装置用放熱器の製造方法。
【００２０】
11)前記第１工程において、各フィンプレートの一端寄りの部分の切り欠きと、他端寄りの部分の切り欠きとの間において、各フィンプレートの幅方向と直交する平面で切断した形状を波形に成形する上記10)記載の液冷式冷却装置用放熱器の製造方法。
【００２１】
12)前記第１工程において、フィンプレートの幅方向の両側縁部の長手方向両端寄りの部分に、それぞれ切り欠きを形成する上記10)または11)記載の液冷式冷却装置用放熱器の製造方法。
【発明の効果】
【００２２】
上記1)〜6)の液冷式冷却装置用放熱器によれば、全フィンプレートが、フィンプレートの両側縁部におけるフィンプレートの長手方向にずれた位置に形成された切り欠き内に圧入された連結部材によって連結一体化されているので、全フィンを強固に連結一体化することができる。したがって、上記1)〜6)の放熱器を用いた液冷式冷却装置を製造する際の全フィンプレートの取扱性が向上し、液冷式冷却装置の製造作業が簡単になる。
【００２３】
また、全フィンプレートの厚みおよび形状を、冷却性能を向上させる上で効果的な厚みおよび形状とすることが可能になる。
【００２４】
上記2)の液冷式冷却装置用放熱器を使用した液冷式冷却装置においては、冷却液が、隣り合う２つのフィンプレート間を、フィンプレートに沿って蛇行状に流れることになり、フィンプレートにおける伝熱に有効に働く面積が効果的に増大し、冷却性能を向上させることができる。
【００２５】
上記4)の液冷式冷却装置用放熱器を使用した上記8)の液冷式冷却装置によれば、入口ヘッダ部内に流入した冷却液は、抵抗付与用棒状体が配置された側を流れにくくなるとともに、反対側を流れやすくなる。したがって、放熱器におけるフィンプレートの並び方向の流量分布を均一化することが可能になり、流量分布流量が不均一になった場合の冷却性能のばらつきを抑制することができる。
【００２６】
上記5)および6)の液冷式冷却装置用放熱器を使用した上記9)の液冷式冷却装置によれば、入口ヘッダ部内に流入した冷却液は、隣り合うフィンプレート間の間隔の狭い側を流れにくくなるとともに、反対側の隣り合うフィンプレート間の間隔の広い側を流れやすくなる。したがって、放熱器におけるフィンプレートの並び方向の流量分布を均一化することが可能になり、流量分布が不均一になった場合の冷却性能のばらつきを抑制することができる。
【００２７】
上記7)〜9)の液冷式冷却装置によれば、製造時には、放熱器の全フィンプレートが連結部材によって連結一体化されているので、全フィンプレートの取扱性が向上し、製造作業が簡単になる。
【００２８】
上記10)〜12)の液冷式冷却装置用放熱器の製造方法によれば、連結部材を全フィンプレートの切り欠き内に圧入する際には、全プレートフィンはブリッジ部により一体化されているので、全プレートフィンの切り欠きが位置ずれすることを防止することができる。したがって、連結部材を全フィンプレートの切り欠き内に圧入する作業が容易になり、製造作業が簡易化される。また、全フィンプレートの厚みおよび形状を、冷却性能を向上させる上で効果的な厚みおよび形状とすることが可能になるとともに、隣り合うフィンプレート間の間隔も使用する液冷式冷却装置のケーシングに合わせて最適な間隔にすることができる。
【００２９】
上記12)の液冷式冷却装置用放熱器の製造方法は、上記4)の放熱器を製造するのに適している。
【図面の簡単な説明】
【００３０】
【図１】この発明による液冷式冷却装置用放熱器を使用した液冷式冷却装置の全体構成を示す斜視図である。
【図２】図１のＡ−Ａ線断面図である。
【図３】図２のＢ−Ｂ線断面図である。
【図４】図１に示す液冷式冷却装置に使用する放熱器を製造する方法の第１工程および第２工程を示す部分斜視図である。
【図５】図４の部分拡大図である。
【図６】図１に示す液冷式冷却装置に使用する放熱器を製造する方法の第３工程を示す部分斜視図である。
【図７】図５のＣ−Ｃ線矢視図である。
【図８】図１に示す液冷式冷却装置に使用する放熱器を製造する方法の第４工程を示す部分斜視図である。
【図９】この発明の液冷式冷却装置用放熱器の他の実施形態を示す斜視図である。
【図１０】図８の放熱器を使用した液冷式冷却装置を示す水平断面図である。
【図１１】この発明による液冷式冷却装置用放熱器のさらに他の実施形態、および当該放熱器を使用した液冷式冷却装置を示す水平断面図である。
【発明を実施するための形態】
【００３１】
以下、この発明の実施形態を、図面を参照して説明する。
【００３２】
全図面を通じて同一物および同一部分には同一符号を付す。
【００３３】
この明細書において、「アルミニウム」という用語には、純アルミニウムの他にアルミニウム合金を含むものとする。
【００３４】
また、以下の説明において、図２の左右を左右といい、図３の上側を前、これと反対側を後というものとする。
【００３５】
図１〜図３はこの発明による液冷式冷却装置用放熱器を使用した液冷式冷却装置を示し、図４〜図７は液冷式冷却装置用放熱器の製造方法を示す。
【００３６】
図１〜図３において、液冷式冷却装置(1)は、頂壁(2a)、底壁(2b)および周壁(2c)を有するケーシング(2)を備え、ケーシング(2)内に、冷却液がケーシング(2)の長手方向の片側（右側）から他側（左側）に流れる冷却液流路(3)と、冷却液流路(3)よりも上流側（右側）に位置しかつ冷却液が流入する入口ヘッダ部(4)と、冷却液流路(3)よりも下流側（左側）に位置しかつ冷却液が流出する出口ヘッダ部(5)とが設けられており、ケーシング(2)内の冷却液流路(3)に、ケーシング(2)の頂壁(2a)外面および底壁(2b)外面のうち少なくともいずれか一方、図示の例では頂壁(2a)外面に取り付けられた発熱体(P)から発せられる熱を、冷却液流路(3)を流れる冷却液に放熱する放熱器(6)が配置されている。
【００３７】
ケーシング(2)は、頂壁(2a)および周壁(2c)を構成する下方に開口した箱状のアルミニウム製上構成部材(7)を、底壁(2b)を構成する板状のアルミニウム製下構成部材(8)上にろう付することにより形成されている。上構成部材(7)および下構成部材(8)は、少なくとも一面にろう材層を有するアルミニウムブレージングシートを使用して、ろう材層がケーシング(2)内側に位置するように形成されている。
【００３８】
ケーシング(2)内の入口ヘッダ部(4)および出口ヘッダ部(5)は、それぞれ冷却液流路(3)の幅方向（前後方向）にのびており、ケーシング(2)の頂壁(2a)の一端寄り（右端寄り）の部分でかつ前後方向の中央部に、入口ヘッダ部(4)に通じる冷却液入口(9)が形成され、ケーシング(2)の頂壁(2a)の他端寄り（左端寄り）の部分でかつ前後方向の中央部に、出口ヘッダ部(5)に通じる冷却液出口(11)が形成されている。また、ケーシング(2)の頂壁(2a)に、冷却液入口(7)を通して入口ヘッダ部(4)内に冷却液を送り込むアルミニウム製入口パイプ(12)と、冷却液出口(11)を通して出口ヘッダ部(5)内から冷却液を送り出すアルミニウム製出口パイプ(13)とがろう付されている。
【００３９】
発熱体(P)は、ＩＧＢＴなどのパワーデバイスや、ＩＧＢＴが制御回路と一体化されて同一パッケージに収納されたＩＧＢＴモジュールや、ＩＧＢＴモジュールにさらに保護回路が一体化されて同一パッケージに収納されたインテリジェントパワーモジュールなどからなり、絶縁部材(I)を介してケーシング(2)の頂壁外面に取り付けられる。
【００４０】
放熱器(6)は、長手方向を冷却液流路(3)における冷却液の流れ方向（左右方向）に向けるとともに幅方向を上下方向に向けた状態で、前後方向に間隔をおいて並列状に配置された複数のアルミニウム製縦長方形状フィンプレート(14)と、フィンプレート(14)の長手方向と交差する方向（前後方向）にのび、かつ全フィンプレート(14)を連結一体化する２つの棒状連結部材(15A)(15B)とからなる。放熱器(6)の隣り合う２つのフィンプレート(14)間、および両端のフィンプレート(14)とケーシング(2)の周壁(2c)における前後両側部分との間に冷却液が流れる分割流路(18)となっている。
【００４１】
全フィンプレート(14)の上下両側縁部における長手方向両端寄りの部分に、それぞれ切り欠き(16)(17)が形成されており、フィンプレート(14)の一端寄りの部分に形成された上下の切り欠き(16)および(17)がフィンプレート(14)の長手方向の同一位置にあり、同じく他端寄りの部分に形成された上下の切り欠き(16)および(17)がフィンプレート(14)の長手方向の同一位置にある。
【００４２】
一方の連結部材(15A)は、全フィンプレート(14)の上側縁部の左端寄りの部分に形成された切り欠き(16)内に、切り欠き(16)内から突出しないように圧入され、他方の連結部材(15B)は、全フィンプレート(14)の下側縁部の右端寄りの部分に形成された切り欠き(17)内に、切り欠き(17)内から突出しないように圧入されており、これにより全フィンプレート(14)が連結部材(15A)(15B)により連結一体化されている。すなわち、各連結部材(15A)(15B)は、互いに他方の連結部材(15B)(15A)が圧入されている切り欠き(17)(16)が形成されたフィンプレート(14)の側縁部とは反対側の側縁部に形成され、かつ他方の連結部材(15B)(15A)が圧入されている切り欠き(17)(16)とはフィンプレート(14)の長手方向にずれた位置にある切り欠き(16)(17)内に圧入されている。
【００４３】
フィンプレート(14)の両切り欠き(16)(17)間の部分を、幅方向と直交する平面（水平面）で切断した形状は波形であり、波頂部および波底部が交互に形成されており、冷却液が、隣り合う２つのフィンプレート(14)間を蛇行状に流れるようになされている。全フィンプレート(14)は、上側縁部がケーシング(2)の上構成部材(7)の頂壁(2a)を形成する部分の内面にろう付され、下側縁部がケーシング(2)の下構成部材(8)の底壁(2b)を形成する部分の内面にろう付されている。
【００４４】
上記構成の液冷式冷却装置(1)において、入口パイプ(12)から冷却液入口(9)を通って入口ヘッダ部(4)内に流入した冷却液は、冷却液流路(3)に配置された放熱器(6)の隣り合う２つのフィンプレート(14)間の分割流路(18)に分流し、各分割流路(18)内を左方に流れる。冷却液流路(3)の分割流路(18)を左方に流れた冷却液は、出口ヘッダ部(5)内に入り、冷却液出口(12)を通って出口パイプ(13)により送り出される。
【００４５】
そして、発熱体(P)から発せられる熱は、絶縁部材(I)、ケーシング(2)の頂壁(2a)および放熱器(6)の各フィンプレート(14)を経て冷却液流路(3)の各分割流路(18)内を流れる冷却液に放熱され、発熱体(P)が冷却される。
【００４６】
次に、図４〜図８を参照して放熱器(6)の製造方法について説明する。
【００４７】
まず、コイル材から巻き戻されたアルミニウム製素板(20)にプレス加工を施すことによって、幅方向の両側縁部における長手方向の両端寄りの部分に、それぞれ切り欠き(16)(17)が形成された複数の縦長方形状フィンプレート(14)を、長手方向を素板(20)の幅方向に向けるとともに幅方向を素板(20)の長手方向に向け、かつ長手方向両端部が連結部(21)を介して素板(20)の幅方向両側縁部のブリッジ部(22)に繋がるように半打ち抜き状態に打ち抜く（第１工程）。
【００４８】
第１工程において、各フィンプレート(14)の両端寄りの部分の切り欠き(16)(17)間の部分における各フィンプレート(14)の幅方向と直交する平面で切断した形状を波形に成形し、波頂部と波底部とを交互に形成する。
【００４９】
ついで、ブリッジ部(22)における隣り合うフィンプレート(14)間の部分を、略Ｓ字状に曲げることにより、全フィンプレート(14)の幅方向を上下方向に向ける（第２工程）。ブリッジ部(22)のＳ字状屈曲部を(23)で示す。なお、第１工程および第２工程を連続的に図４に示し、図４の一部を図５に拡大して示す。
【００５０】
全フィンプレート(14)の幅方向を上下方向に向けた後、全フィンプレート(14)の上側縁部の左端寄りの切り欠き(16)内、および全フィンプレートの下側縁部の右端寄りの切り欠き(17)内に、それぞれ連結部材(15A)(15B)を圧入し、連結部材(15A)(15B)によってフィンプレート(14)の対角線上において全フィンプレート(14)を連結一体化する（第３工程）（図６および図７参照）。
【００５１】
その後、全連結部(21)を切断して全フィンプレート(14)をブリッジ部(22)から分離する。こうして、放熱器(6)が製造される（第４工程）（図８参照）。
【００５２】
図９はこの発明による液冷式冷却装置用放熱器の他の実施形態を示す。
【００５３】
図９に示す放熱器(30)の場合、フィンプレート(14)の長手方向一端寄りの部分に、全プレートフィン(14)のうちの一部で、かつフィンプレート(14)の並び方向の片側に位置する複数のプレートフィン(14)のみにまたがるように棒状の抵抗付与部材(31)が配置されている。抵抗付与部材(31)は、フィンプレート(14)の下側縁部における当該一端寄りの部分に配置された連結部材(15B)が圧入されている切り欠き(17)が形成されているのとは反対の側縁部、図示の例では上側縁部に形成された切り欠き(16)内に圧入されている。
【００５４】
その他の構成は、図８に示す放熱器(6)と同様である。
【００５５】
図１０は図９の放熱器(30)を使用した液冷式冷却装置を示す。
【００５６】
なお、図１０に関する以下の説明においては、図面の左右を左右といい、図面の下側を前、これと反対側を後というものとする。
【００５７】
図１０に示す液冷式冷却装置(40)は、頂壁、底壁(41a)および周壁(41b)を有するケーシング(41)を備え、ケーシング(41)内に、冷却液がケーシング(41)の長手方向の片側（左側）から他側（右側）に流れる冷却液流路(42)と、冷却液流路(42)よりも上流側（左側）に位置しかつ冷却液が流入する入口ヘッダ部(43)と、冷却液流路(42)よりも下流側（右側）に位置しかつ冷却液が流出する出口ヘッダ部(44)とが設けられており、ケーシング(41)内の冷却液流路(42)に、放熱器(30)が配置されている。
【００５８】
ケーシング(41)内の入口ヘッダ部(43)および出口ヘッダ部(44)は、それぞれ冷却液流路(42)の幅方向（前後方向）に長くなっており、ケーシング(41)の周壁(41b)の前側部分の左端部に、入口ヘッダ部(43)に通じる冷却液入口(45)が形成され、ケーシング(41)の周壁(41b)の前側部分の右端部に、出口ヘッダ部(44)に通じる冷却液出口(46)が形成されている。
【００５９】
放熱器(30)は、プレートフィン(14)の長手方向を冷却液流路(42)における冷却液の流れ方向（左右方向）に向けるとともに幅方向を上下方向に向け、さらに抵抗付与部(31)が冷却液入口(45)および冷却液出口(46)側に来た状態で、ケーシング(41)内の冷却液流路(42)に配置されており、全フィンプレート(14)は、上側縁部がケーシング(41)の頂壁内面にろう付され、下側縁部がケーシング(41)の底壁(41a)内面にろう付されている。
【００６０】
図１０に示す液冷式冷却装置(40)において、冷却液入口(45)から入口ヘッダ部(43)内に流入した冷却液は、冷却液流路(42)に配置された放熱器(30)の隣り合う２つのフィンプレート(14)間の分割流路(18)に分流し、各分割流路(18)内を右方に流れる。冷却液流路(42)の分割流路(18)を右方に流れた冷却液は、出口ヘッダ部(44)内に入り、冷却液出口(46)を通って送り出される。
【００６１】
上記構成の液冷式冷却装置(40)においては、冷却液入口(45)と冷却液出口(46)が、入口ヘッダ部(43)および出口ヘッダ部(44)の同一端部に設けられているので、冷却液入口(45)から入口ヘッダ部(43)内に流入した冷却液は、冷却液流路(42)の冷却液入口(45)および冷却液出口(46)が設けられた側（前側）を流れやすくなる。
【００６２】
しかしながら、抵抗付与部材(31)が冷却液入口(45)および冷却液出口(46)が設けられた前側に存在しているので、入口ヘッダ部(43)内に流入した冷却液は、抵抗付与部材(31)が配置された側を流れにくくなるとともに、反対側を流れやすくなる。したがって、放熱器(30)におけるフィンプレート(14)の並び方向の流量分布を均一化することが可能になり、流量分布流量が不均一になった場合の冷却性能のばらつきを抑制することができる。
【００６３】
そして、発熱体(P)から発せられる熱は、絶縁部材(I)、ケーシング(41)の頂壁および放熱器(30)の各フィンプレート(14)を経て冷却液流路(3)の各分割流路(18)内を流れる冷却液に放熱され、発熱体(P)が冷却される。
【００６４】
図１１は、この発明による液冷式冷却装置用放熱器のさらに他の実施形態、および当該放熱器を使用した液冷式冷却装置を示す。
【００６５】
なお、図１１に関する以下の説明においては、図面の左右を左右といい、図面の下側を前、これと反対側を後というものとする。
【００６６】
図１１に示す放熱器(50)の場合、隣り合うフィンプレート(14)間の間隔が、フィンプレート(14)の並び方向の一端側から他端側に向かって徐々に広くなっている。その他の構成は、図８に示す放熱器(6)と同様である。
【００６７】
放熱器(50)を使用した液冷式冷却装置(55)は、図１０に示す液冷式冷却装置(40)と同じ構成のケーシング(41)を備えている。
【００６８】
放熱器(50)は、プレートフィン(14)の長手方向を冷却液流路(42)における冷却液の流れ方向（左右方向）に向けるとともに幅方向を上下方向に向け、さらに隣り合うフィンプレート(14)間の間隔の狭い側が冷却液入口(45)および冷却液出口(46)側に来るように配置されており、全フィンプレート(14)は、上側縁部がケーシング(41)の頂壁内面にろう付され、下側縁部がケーシング(41)の底壁(41b)内面にろう付されている。
【００６９】
図１１に示す液冷式冷却装置(55)において、冷却液入口(45)から入口ヘッダ部(43)内に流入した冷却液は、冷却液流路(42)に配置された放熱器(50)の隣り合う２つのフィンプレート(14)間の分割流路(18)に分流し、各分割流路(18)内を右方に流れる。冷却液流路(42)の分割流路(18)を右方に流れた冷却液は、出口ヘッダ部(44)内に入り、冷却液出口(46)を通って送り出される。
【００７０】
上記構成の液冷式冷却装置(55)においては、冷却液入口(45)と冷却液出口(46)が、入口ヘッダ部(43)および出口ヘッダ部(44)の同一端部に設けられているので、冷却液入口(45)から入口ヘッダ部(43)内に流入した冷却液は、冷却液流路(42)の冷却液流路(42)の冷却液入口(45)および冷却液出口(46)が設けられた側（前側）を流れやすくなる。
【００７１】
しかしながら、放熱器(50)が、隣り合うフィンプレート(14)間の間隔の狭い側が冷却液入口(45)および冷却液出口(46)側に来るように配置されているので、入口ヘッダ部(43)内に流入した冷却液は、放熱器(50)の隣り合うフィンプレート(14)間の間隔の狭い側を流れにくくなるとともに、反対側を流れやすくなる。したがって、放熱器(50)におけるフィンプレート(14)の並び方向の流量分布を均一化することが可能になり、流量分布流量が不均一になった場合の冷却性能のばらつきを抑制することができる。
【００７２】
そして、発熱体(P)から発せられる熱は、絶縁部材(I)、ケーシング(41)の頂壁および放熱器(50)の各フィンプレート(14)を経て冷却液流路(3)の各分割流路(18)内を流れる冷却液に放熱され、発熱体(P)が冷却される。
【産業上の利用可能性】
【００７３】
この発明による液冷式冷却装置は、電気自動車、ハイブリッド自動車、電車などに搭載される電力変換装置に用いられるＩＧＢＴなどのパワーデバイスを冷却するのに好適に用いられる。
【符号の説明】
【００７４】
(1)(40)(55)：液冷式冷却装置
(2)(41)：ケーシング
(2a)：頂壁
(2b)(41a)：底壁
(3)(42)：冷却液通路
(4)(43)：入口ヘッダ部
(5)(44)：出口ヘッダ部
(6)(30)(50)：放熱器
(9)(45)：冷却液入口
(11)(46)：冷却液出口
(14)：フィンプレート
(15A)(15B)：連結部材
(16)(17)：切り欠き
(18)：分割流路
(20)：素板
(21)：連結部
(22)：ブリッジ部
(23)：Ｓ字状屈曲部
(31)：抵抗付与部材
(P)：発熱体
【図１】
2015126050.tif 000003
【図２】
2015126050.tif 000004
【図３】
2015126050.tif 000005
【図４】
2015126050.tif 000006
【図５】
2015126050.tif 000007
【図６】
2015126050.tif 000008
【図７】
2015126050.tif 000009
【図８】
2015126050.tif 000010
【図９】
2015126050.tif 000011
【図１０】
2015126050.tif 000012
【図１１】
2015126050.tif 000013